(57)【要約】【課題】操作スイッチの操作に対するフィードバックを操作者に伝えることによって、操作者のスイッチ操作の認識度を高めることができる操作スイッチのインジケータ点灯制御方法を提供すること。【解決手段】押圧操作によりＯＮ又はＯＦＦ或いは押圧操作を繰り返す毎にＯＮ／ＯＦＦを交互に繰り返す操作スイッチ２のインジケータ３の点灯制御方法として、前記操作スイッチ２の押圧操作により該操作スイッチの状態がＯＦＦからＯＮに変化すると、前記インジケータ３を点灯させてその輝度ＬをＯＮ状態を示す正規の値ＬＯＮに対して一定時間ＴＯＮだけ変化させた後に正規の値ＬＯＮに戻し、前記操作スイッチ２の押圧操作により該操作スイッチの状態がＯＮからＯＦＦに変化すると、前記インジケータ３の輝度Ｌを現在の値ＬＯＮに対して一定時間ＴＯＦＦだけ変化させた後にＯＦＦ状態を示す値ＬＯＦＦに設定するようにする。【選択図】図４
2014059484.tif 000002
【特許請求の範囲】
【請求項１】
押圧操作によりＯＮ又はＯＦＦ或いは押圧操作を繰り返す毎にＯＮ／ＯＦＦを交互に繰り返す操作スイッチのインジケータの点灯制御方法であって、
前記操作スイッチの押圧操作により該操作スイッチの状態がＯＦＦからＯＮに変化すると、前記インジケータを点灯させてその輝度ＬをＯＮ状態を示す正規の値ＬＯＮに対して一定時間ＴＯＮだけ変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ変化させた後にＯＦＦ状態を示す値ＬＯＦＦに設定することを特徴とする操作スイッチのインジケータ店頭制御方法。
【請求項２】
前記操作スイッチの押圧操作により該操作スイッチの状態がＯＦＦからＯＮに変化すると、前記インジケータを点灯させてその輝度ＬをＯＮ状態を示す正規の値ＬＯＮに対して一定時間ＴＯＮだけ高輝度ＬＯＮｍａｘへと変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ高輝度ＬＯＦＦｍａｘへとに変化させた後にＯＦＦ状態を示す値ＬＯＦＦに設定することを特徴とする請求項１記載の操作スイッチのインジケータ店頭制御方法。
【請求項３】
前記インジケータを前記操作スイッチのＯＮ状態を示す正規の値ＬＯＮよりも低いバック照明の輝度Ｌｂａｋで常時点灯させ、
前記操作スイッチの押圧操作により該操作スイッチの状態がＯＦＦからＯＮに変化すると、前記インジケータの輝度Ｌを一定時間ＴＯＮだけ高輝度ＬＯＮｍａｘへと変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ高輝度ＬＯＦＦｍａｘへと変化させた後にバック照明の輝度Ｌｂａｋに戻すことを特徴とする請求項１記載の操作スイッチのインジケータ店頭制御方法。
【請求項４】
前記インジケータを前記操作スイッチのＯＮ状態を示す正規の値ＬＯＮよりも低いバック照明の輝度Ｌｂａｋで常時点灯させ、
前記操作スイッチの押圧操作により該操作スイッチの状態がＯＦＦからＯＮに変化すると、前記インジケータの輝度Ｌを一定時間ＴＯＮだけバック照明の輝度Ｌｂａｋよりも低い低輝度ＬＯＮｍｉｎへと変化させた後に正規の値ＬＯＮに戻し、
前記操作スイッチの押圧操作により該操作スイッチの状態がＯＮからＯＦＦに変化すると、前記インジケータの輝度Ｌを一定時間ＴＯＦＦだけバック照明の輝度Ｌｂａｋよりも低い低輝度ＬＯＦＦｍｉｎへと変化させた後にバック照明の輝度Ｌｂａｋに戻すことを特徴とする請求項１記載の操作スイッチのインジケータ店頭制御方法。
【請求項５】
前記操作スイッチの押圧操作により該操作スイッチの状態がＯＦＦからＯＮに変化すると、前記インジケータを点滅させた後にＯＮ状態を示す正規の輝度ＬＯＮで点灯させ、
前記操作スイッチの押圧操作により該操作スイッチの状態がＯＮからＯＦＦに変化すると、前記インジケータを点滅させた後にその輝度ＬをＯＦＦ状態を示す値ＬＯＦＦに設定することを特徴とする請求項１記載の操作スイッチのインジケータ店頭制御方法。
【請求項６】
前記操作スイッチの押圧操作により該操作スイッチの状態がＯＦＦからＯＮに変化すると、前記インジケータを点灯させてその輝度Ｌを高輝度ＬＯＮｍａｘまで徐々に上げた後にＯＮ状態を示す正規の値ＬＯＮまで徐々に下げ、
前記操作スイッチの押圧操作により該操作スイッチの状態がＯＮからＯＦＦに変化すると、前記インジケータの輝度Ｌを現在の値ＬＯＮから高輝度ＬＯＦＦｍａｘまで徐々に上げた後にＯＦＦ状態を示す値ＬＯＦＦまで徐々に下げることを特徴とする請求項１記載の操作スイッチのインジケータ店頭制御方法。
【発明の詳細な説明】
【技術分野】
【０００１】
本発明は、押圧操作によりＯＮ又はＯＦＦ或いは押圧操作を繰り返す毎にＯＮ／ＯＦＦを交互に繰り返す操作スイッチのインジケータ点灯制御方法に関するものである。
【背景技術】
【０００２】
各種機能を制御するコントロールパネルには、押圧操作によりＯＮ又はＯＦＦ或いは押圧操作を繰り返す毎にＯＮ／ＯＦＦを交互に繰り返す操作スイッチが設けられており、この操作スイッチのＯＮ／ＯＦＦ状態はインジケータの点灯／消灯によって表示されている（例えば、特許文献１参照）。
【０００３】
ここで、操作スイッチのインジケータ点灯制御方法の従来例を図９に基づいて以下に説明する。
【０００４】
即ち、図９は従来のインジケータ点灯制御方法を示すタイミングチャートであり、操作スイッチを押圧操作（ＳＷ入力ＯＮ）して操作スイッチの状態がＯＦＦからＯＮに切り替わると、インジケータを点灯させ、その後に操作スイッチを再び押圧操作（ＳＷ入力ＯＮ）したために該操作スイッチの状態がＯＮからＯＦＦに切り替わると、インジケータを消灯させる制御方法が採用されていた。
【先行技術文献】
【特許文献】
【０００５】
【特許文献１】実公平７−０３８９４６号公報
【発明の概要】
【発明が解決しようとする課題】
【０００６】
しかしながら、図９に示す従来のインジケータ点灯制御方法においては、インジケータは操作スイッチの現在の状態を示す状態灯としての機能を有しているのみであって、操作者へのスイッチ操作に対するフィードバック機能を有しておらず、インジケータの状態も点灯／消灯しかなく、商品性に乏しいという問題があった。
【０００７】
本発明は上記問題に鑑みてなされたもので、その目的とする処は、操作スイッチの操作に対するフィードバックを操作者に伝えることによって、操作者のスイッチ操作の認識度を高めることができる操作スイッチのインジケータ点灯制御方法を提供することにある。
【課題を解決するための手段】
【０００８】
上記目的を達成するため、請求項１記載の発明は、押圧操作によりＯＮ又はＯＦＦ或いは押圧操作を繰り返す毎にＯＮ／ＯＦＦを交互に繰り返す操作スイッチのインジケータの点灯制御方法として、
前記操作スイッチの押圧操作により該操作スイッチの状態がＯＦＦからＯＮに変化すると、前記インジケータを点灯させてその輝度ＬをＯＮ状態を示す正規の値ＬＯＮに対して一定時間ＴＯＮだけ変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ変化させた後にＯＦＦ状態を示す値ＬＯＦＦに設定することを特徴とする。
【０００９】
請求項２記載の発明は、請求項１記載の発明において、前記操作スイッチの押圧操作により該操作スイッチの状態がＯＦＦからＯＮに変化すると、前記インジケータを点灯させてその輝度ＬをＯＮ状態を示す正規の値ＬＯＮに対して一定時間ＴＯＮだけ高輝度ＬＯＮｍａｘへと変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ高輝度ＬＯＦＦｍａｘへとに変化させた後にＯＦＦ状態を示す値ＬＯＦＦに設定することを特徴とする。
【００１０】
請求項３記載の発明は、請求項１記載の発明において、前記インジケータを前記操作スイッチのＯＮ状態を示す正規の値ＬＯＮよりも低いバック照明の輝度Ｌｂａｋで常時点灯させ、
前記操作スイッチの押圧操作により該操作スイッチの状態がＯＦＦからＯＮに変化すると、前記インジケータの輝度Ｌを一定時間ＴＯＮだけ高輝度ＬＯＮｍａｘへと変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ高輝度ＬＯＦＦｍａｘへと変化させた後にバック照明の輝度Ｌｂａｋに戻すことを特徴とする。
【００１１】
請求項４記載の発明は、請求項１記載の発明において、前記インジケータを前記操作スイッチのＯＮ状態を示す正規の値ＬＯＮよりも低いバック照明の輝度Ｌｂａｋで常時点灯させ、
前記操作スイッチの押圧操作により該操作スイッチの状態がＯＦＦからＯＮに変化すると、前記インジケータの輝度Ｌを一定時間ＴＯＮだけバック照明の輝度Ｌｂａｋよりも低い低輝度ＬＯＮｍｉｎへと変化させた後に正規の値ＬＯＮに戻し、
前記操作スイッチの押圧操作により該操作スイッチの状態がＯＮからＯＦＦに変化すると、前記インジケータの輝度Ｌを一定時間ＴＯＦＦだけバック照明の輝度Ｌｂａｋよりも低い低輝度ＬＯＦＦｍｉｎへと変化させた後にバック照明の輝度Ｌｂａｋに戻すことを特徴とする。
【００１２】
請求項５記載の発明は、請求項１記載の発明において、前記操作スイッチの押圧操作により該操作スイッチの状態がＯＦＦからＯＮに変化すると、前記インジケータを点滅させた後にＯＮ状態を示す正規の輝度ＬＯＮで点灯させ、
前記操作スイッチの押圧操作により該操作スイッチの状態がＯＮからＯＦＦに変化すると、前記インジケータを点滅させた後にその輝度ＬをＯＦＦ状態を示す値ＬＯＦＦに設定することを特徴とする。
【００１３】
請求項６記載の発明は、請求項１記載の発明において、前記操作スイッチの押圧操作により該操作スイッチの状態がＯＦＦからＯＮに変化すると、前記インジケータを点灯させてその輝度Ｌを高輝度ＬＯＮｍａｘまで徐々に上げた後にＯＮ状態を示す正規の値ＬＯＮまで徐々に下げ、
前記操作スイッチの押圧操作により該操作スイッチの状態がＯＮからＯＦＦに変化すると、前記インジケータの輝度Ｌを現在の値ＬＯＮから高輝度ＬＯＦＦｍａｘまで徐々に上げた後にＯＦＦ状態を示す値ＬＯＦＦまで徐々に下げることを特徴とする。
【発明の効果】
【００１４】
本発明によれば、操作スイッチの押圧操作により該操作スイッチの状態がＯＦＦからＯＮに切り替わり、ＯＮからＯＦＦに切り替わる都度、インジケータの輝度を変化させるようにしたため、操作スイッチの操作に対するフィードバックを操作者に伝えることができ、操作者のスイッチ操作の認識度が高められる。
【図面の簡単な説明】
【００１５】
【図１】コントロールパネルの正面図である。
【図２】本発明に係る操作スイッチのインジケータ点灯制御系の構成を示す図である。
【図３】本発明に係る操作スイッチのインジケータ点灯制御方法を示すフローチャートである。
【図４】本発明の実施の形態１に係る操作スイッチのインジケータ点灯制御方法を示すタイミングチャートである。
【図５】本発明の実施の形態２に係る操作スイッチのインジケータ点灯制御方法を示すタイミングチャートである。
【図６】本発明の実施の形態３に係る操作スイッチのインジケータ点灯制御方法を示すタイミングチャートである。
【図７】本発明の実施の形態４に係る操作スイッチのインジケータ点灯制御方法を示すタイミングチャートである。
【図８】本発明の実施の形態５に係る操作スイッチのインジケータ点灯制御方法を示すタイミングチャートである。
【図９】従来の操作スイッチのインジケータ点灯制御方法を示すタイミングチャートである。
【発明を実施するための形態】
【００１６】
以下に本発明の実施の形態を添付図面に基づいて説明する。
【００１７】
図１はコントロールパネルの正面図、図２は本発明に係る操作スイッチのインジケータ点灯制御系の構成を示す図であり、図１に示すコントロールパネル１は各種機能を制御する操作パネルに設けられるものであって、これには押圧することによってＯＮ／ＯＦＦを交互に繰り返す押しボタン式の複数（図示例では８個）の操作スイッチ２が並設されており、各操作スイッチ２に対応してこれらの上方にはインジケータ３がそれぞれ配設されている。
【００１８】
図２に示すように、操作スイッチ２のＯＮ／ＯＦＦの状態はＣＰＵ４によって監視されており、この操作スイッチ２のＯＮ／ＯＦＦの状態によってインジケータの点灯／消灯と輝度がＣＰＵ４によって制御される。
【００１９】
ここで、本発明に係るインジケータ３の点灯制御方法を図３に基づいて以下に説明する。
【００２０】
即ち、図３はインジケータ３の本発明に係る点灯制御方法を示すフローチャートであり、本発明においては、操作者によって操作スイッチ２が押圧操作されたか否かが判定され（ステップＳ１）、操作スイッチ２が押圧された場合（ステップＳ１での判定結果がＹｅｓである場合）には、その操作スイッチ２の状態（操作スイッチ２を押圧操作する前の状態）がＯＦＦ状態であるか否かが判定される（ステップＳ２）。
【００２１】
操作スイッチ２の状態がＯＦＦ状態であった場合（ステップＳ２での判定結果がＹｅｓである場合）には、インジケータ３を点灯してその輝度をＯＮ状態を示す正規の値に対して一定時間だけ変化させる（ステップＳ３）。そして、その後にインジケータ３の輝度をＯＮ状態を示す正規の値に戻す（ステップＳ４）。
【００２２】
他方、操作スイッチ２を押圧操作する前の該操作スイッチ２の状態がＯＮであった場合には（ステップＳ２での判定結果がＮｏである場合）には、操作スイッチ２の押圧操作によって該操作スイッチ２はＯＮからＯＦＦに切り替わるため、この場合には、インジケータ３の輝度を現在の値（ＯＮ状態を示す正規の値）に対して一定時間だけ変化させ（ステップＳ５）、その後にＯＦＦ状態を示す値に設定する（ステップＳ６）。
【００２３】
次に、操作スイッチ２がＯＦＦからＯＮに変化した場合とＯＮからＯＦＦに変化した場合にインジケータ３の輝度を変化させる種々の形態について以下に説明する。
【００２４】
＜実施の形態１＞
図４は本発明の実施の形態１に係る操作スイッチ２のインジケータ点灯制御方法を示すタイミングチャートであり、本実施の形態では、操作スイッチ２の押圧操作により該操作スイッチの状態がＯＦＦからＯＮに変化すると、インジケータ３を点灯させてその輝度ＬをＯＮ状態を示す正規の値ＬＯＮ（１００％）に対して一定時間ＴＯＮ（１００ｍｓ）だけ高輝度ＬＯＮｍａｘ（２００％）へと変化させた後に正規の値ＬＯＮ（１００％）に戻すようにしている。
【００２５】
又、操作スイッチ２の押圧操作により該操作スイッチの状態がＯＮからＯＦＦに変化すると、インジケータ３の輝度Ｌを現在の値ＬＯＮ（１００％）対して一定時間ＴＯＦＦ（１００ｍｓ）だけ高輝度ＬＯＦＦｍａｘ（２００％）へと変化させた後にＯＦＦ状態を示す値ＬＯＦＦ（０％（つまり、消灯））に設定するようにしている。
【００２６】
以上のように、本実施の形態においては、操作スイッチ２の押圧操作により該操作スイッチの状態がＯＦＦからＯＮに変化し、ＯＮからＯＦＦに変化する都度、インジケータ３の輝度Ｌをそれぞれ一定時間ＴＯＮ、ＴＯＦＦ（１００ｍｓ）だけ高輝度ＬＯＮｍａｘ，ＬＯＦＦｍａｘ（２００％）へとそれぞれ変化させるようにしたため、操作スイッチ２の操作に対するフィードバックを操作者に伝えることができ、操作者のスイッチ操作の認識度が高められるという効果が得られる。
【００２７】
又、上述のようにインジケータ３の輝度を変化させることによって該インジケータ３に複数の機能を持たせることができ、このようにインジケータ３に複数の機能を持たせることによって該インジケータ３の数を削減することができるという効果も得られる。尚、本実施の形態において示したＬＯＮ，ＬＯＮｍａｘ，ＬＯＦＦ，ＬＯＦＦｍａ，ＴＯＮ，ＴＯＦＦの値は一例であって、これに限定されるものではなく、任意に設定し得るものである（以下に説明する実施の形態２〜５においても同じ）。
【００２８】
＜実施の形態２＞
次に、本発明の実施の形態２を図５に基づいて以下に説明する。
【００２９】
図５は本発明の実施の形態２に係る操作スイッチのインジケータ点灯制御方法を示すタイミングチャートであり、本実施の形態では、インジケータ３を操作スイッチ２のＯＮ状態を示す正規の値ＬＯＮ（１００％）よりも低いバック照明の輝度Ｌｂａｋ（５０％）で常時点灯させ、操作スイッチ２の押圧操作により該操作スイッチの状態がＯＦＦからＯＮに変化すると、インジケータ３の輝度Ｌを一定時間ＴＯＮ（１００ｍｓ）だけ高輝度ＬＯＮｍａｘ（１５０％）へと変化させた後に正規の値ＬＯＮ（１００％）に戻すようにしている。
【００３０】
又、操作スイッチ２の押圧操作により該操作スイッチの状態がＯＮからＯＦＦに変化すると、インジケータ３の輝度Ｌを現在の値ＬＯＮ（１００％）に対して一定時間ＴＯＦＦ（１００ｍｓ）だけ高輝度ＬＯＦＦｍａｘへ（１５０％）へと変化させた後にバック照明の輝度Ｌｂａｋ（５０％）に戻すようにしている。
【００３１】
而して、本実施の形態においても、操作スイッチ２の押圧操作により該操作スイッチの状態がＯＦＦからＯＮに変化し、ＯＮからＯＦＦに変化する都度、インジケータ３の輝度Ｌをそれぞれ一定時間ＴＯＮ、ＴＯＦＦ（１００ｍｓ）だけ高輝度ＬＯＮｍａｘ，ＬＯＦＦｍａｘ（１５０％）へとそれぞれ変化させるようにしたため、操作スイッチ２の操作に対するフィードバックを操作者に伝えることができ、操作者のスイッチ操作の認識度が高められるという効果が得られる。
【００３２】
＜実施の形態３＞
次に、本発明の実施の形態３を図６に基づいて以下に説明する。
【００３３】
図６は本発明の実施の形態３に係る操作スイッチのインジケータ点灯制御方法を示すタイミングチャートであり、本実施の形態では、インジケータ３を操作スイッチ２のＯＮ状態を示す正規の値ＬＯＮ（１００％）よりも低いバック照明の輝度Ｌｂａｋ（５０％）で常時点灯させ、操作スイッチ２の押圧操作により該操作スイッチの状態がＯＦＦからＯＮに変化すると、インジケータ３の輝度Ｌを一定時間ＴＯＮ（１００ｍｓ）だけバック照明の輝度Ｌｂａｋ（５０％）よりも低い低輝度ＬＯＮｍｉｎ（２５％）へと変化させた後に正規の値ＬＯＮ（１００％）に戻すようにしている。
【００３４】
又、操作スイッチ２の押圧操作により該操作スイッチの状態がＯＮからＯＦＦに変化すると、インジケータ３の輝度Ｌを現在の値ＬＯＮ（１００％）に対して一定時間ＴＯＦＦ（１００ｍｓ）だけバック照明の輝度Ｌｂａｋ（５０％）よりも低い低輝度ＬＯＦＦｍｉｎ（２５％）へと変化させた後にバック照明の輝度Ｌｂａｋ（５０％）に戻すようにしている。
【００３５】
而して、本実施の形態においては、操作スイッチ２の押圧操作により該操作スイッチの状態がＯＦＦからＯＮに変化し、ＯＮからＯＦＦに変化する都度、インジケータ３の輝度Ｌをそれぞれ一定時間ＴＯＮ、ＴＯＦＦ（１００ｍｓ）だけ低輝度ＬＯＮｍｉｎ，ＬＯＦＦｍｉｎ（２５％）へとそれぞれ変化させるようにしたため、操作スイッチ２の操作に対するフィードバックを操作者に伝えることができ、操作者のスイッチ操作の認識度が高められるという効果が得られる。
【００３６】
＜実施の形態４＞
次に、本発明の実施の形態４を図７に基づいて以下に説明する。
【００３７】
図７は本発明の実施の形態４に係る操作スイッチのインジケータ点灯制御方法を示すタイミングチャートであり、本実施の形態では、操作スイッチ２の押圧操作により該操作スイッチの状態がＯＦＦからＯＮに変化すると、インジケータ３を高輝度ＬＯＮｍａｘ（２００％）と低輝度ＬＯＮｍｉｎ（２５％）で点滅させた後にインジケータ３の輝度ＬをＯＮ状態を示す正規の輝度ＬＯＮ（１００％）で点灯させるようにしている。
【００３８】
又、操作スイッチ２の押圧操作により該操作スイッチの状態がＯＮからＯＦＦに変化すると、インジケータ３を高輝度ＬＯＦＦｍａｘ（２００％）と低輝度ＬＯＦＦｍｉｎ（２５％）で点滅させた後にその輝度ＬをＯＦＦ状態を示す値ＬＯＦＦ（０％（つまり、消灯））に設定するようにしている。
【００３９】
而して、本実施の形態によれば、操作スイッチ２がＯＦＦからＯＮに変化し、ＯＮからＯＦＦに変化する都度、インジケータ３を点滅させるようにしたため、操作スイッチ２の操作に対するフィードバックを操作者に伝えることができ、操作者のスイッチ操作の認識度が高められるという効果が得られる。尚、本実施の形態における点滅の回数は任意に設定し得るものである。
【００４０】
＜実施の形態５＞
次に、本発明に実施の形態５を図８に基づいて以下に説明する。
【００４１】
図８は本発明の実施の形態５に係る操作スイッチのインジケータ点灯制御方法を示すタイミングチャートであり、本実施の形態では、操作スイッチ２の押圧操作により該操作スイッチの状態がＯＦＦからＯＮに変化すると、インジケータ３を点灯させてその輝度Ｌを高輝度ＬＯＮｍａｘ（２００％）まで徐々に上げた後にＯＮ状態を示す正規の値ＬＯＮ（１００％）まで徐々に下げるようにしている。
【００４２】
又、操作スイッチ２がＯＮからＯＦＦに変化すると、インジケータ３の輝度Ｌを現在の値ＬＯＮ（１００％）から高輝度ＬＯＦＦｍａｘ（２００％）まで徐々に上げた後にＯＦＦ状態を示す値ＬＯＦＦ（０％）まで徐々に下げるようにしている。
【００４３】
而して、本実施の形態によれば、前記実施の形態１〜４と同等の効果が得られる他、スイッチ操作のフィードバック時に階調を加えた演出を行うようにしたため、商品性が高められるという効果が得られる。
【符号の説明】
【００４４】
１      コントロールパネル
２      操作スイッチ
３      インジケータ
４      ＣＰＵ
【図１】
2014059484.tif 000003
【図２】
2014059484.tif 000004
【図３】
2014059484.tif 000005
【図４】
2014059484.tif 000006
【図５】
2014059484.tif 000007
【図６】
2014059484.tif 000008
【図７】
2014059484.tif 000009
【図８】
2014059484.tif 000010
【図９】
2014059484.tif 000011
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
押圧操作によりＯＮ又はＯＦＦ或いは押圧操作を繰り返す毎にＯＮ／ＯＦＦを交互に繰り返す操作スイッチのインジケータの点灯制御方法であって、
前記操作スイッチの押圧操作により該操作スイッチの状態がＯＦＦからＯＮに変化すると、前記インジケータを点灯させてその輝度ＬをＯＮ状態を示す正規の値ＬＯＮに対して一定時間ＴＯＮだけ変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ変化させた後にＯＦＦ状態を示す値ＬＯＦＦに設定することを特徴とする操作スイッチのインジケータ点灯制御方法。
【請求項２】
前記操作スイッチの押圧操作により該操作スイッチの状態がＯＦＦからＯＮに変化すると、前記インジケータを点灯させてその輝度ＬをＯＮ状態を示す正規の値ＬＯＮに対して一定時間ＴＯＮだけ高輝度ＬＯＮｍａｘへと変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ高輝度ＬＯＦＦｍａｘへとに変化させた後にＯＦＦ状態を示す値ＬＯＦＦに設定することを特徴とする請求項１記載の操作スイッチのインジケータ点灯制御方法。
【請求項３】
前記インジケータを前記操作スイッチのＯＮ状態を示す正規の値ＬＯＮよりも低いバック照明の輝度Ｌｂａｋで常時点灯させ、
前記操作スイッチの押圧操作により該操作スイッチの状態がＯＦＦからＯＮに変化すると、前記インジケータの輝度Ｌを一定時間ＴＯＮだけ高輝度ＬＯＮｍａｘへと変化させた後に正規の値ＬＯＮに戻し、
前記操作スイッチの押圧操作により該操作スイッチの状態がＯＮからＯＦＦに変化すると、前記インジケータの輝度Ｌを現在の値ＬＯＮに対して一定時間ＴＯＦＦだけ高輝度ＬＯＦＦｍａｘへと変化させた後にバック照明の輝度Ｌｂａｋに戻すことを特徴とする請求項１記載の操作スイッチのインジケータ点灯制御方法。
【請求項４】
前記インジケータを前記操作スイッチのＯＮ状態を示す正規の値ＬＯＮよりも低いバック照明の輝度Ｌｂａｋで常時点灯させ、
前記操作スイッチの押圧操作により該操作スイッチの状態がＯＦＦからＯＮに変化すると、前記インジケータの輝度Ｌを一定時間ＴＯＮだけバック照明の輝度Ｌｂａｋよりも低い低輝度ＬＯＮｍｉｎへと変化させた後に正規の値ＬＯＮに戻し、
前記操作スイッチの押圧操作により該操作スイッチの状態がＯＮからＯＦＦに変化すると、前記インジケータの輝度Ｌを一定時間ＴＯＦＦだけバック照明の輝度Ｌｂａｋよりも低い低輝度ＬＯＦＦｍｉｎへと変化させた後にバック照明の輝度Ｌｂａｋに戻すことを特徴とする請求項１記載の操作スイッチのインジケータ点灯制御方法。
【請求項５】
前記操作スイッチの押圧操作により該操作スイッチの状態がＯＦＦからＯＮに変化すると、前記インジケータを点滅させた後にＯＮ状態を示す正規の輝度ＬＯＮで点灯させ、
前記操作スイッチの押圧操作により該操作スイッチの状態がＯＮからＯＦＦに変化すると、前記インジケータを点滅させた後にその輝度ＬをＯＦＦ状態を示す値ＬＯＦＦに設定することを特徴とする請求項１記載の操作スイッチのインジケータ点灯制御方法。
【請求項６】
前記操作スイッチの押圧操作により該操作スイッチの状態がＯＦＦからＯＮに変化すると、前記インジケータを点灯させてその輝度Ｌを高輝度ＬＯＮｍａｘまで徐々に上げた後にＯＮ状態を示す正規の値ＬＯＮまで徐々に下げ、
前記操作スイッチの押圧操作により該操作スイッチの状態がＯＮからＯＦＦに変化すると、前記インジケータの輝度Ｌを現在の値ＬＯＮから高輝度ＬＯＦＦｍａｘまで徐々に上げた後にＯＦＦ状態を示す値ＬＯＦＦまで徐々に下げることを特徴とする請求項１記載の操作スイッチのインジケータ点灯制御方法。